(57)【要約】  【課題】  簡易かつ容易に、ハウジングの開口に押しボタンの一部を嵌め込むことのできるボタンユニットを提供する。  【解決手段】  ボタン部２１は、開口１３に嵌るプッシュ片２１ｂと、このプッシュ片２１ｂを備える本体片２１ａとを含むように構成され手いる一方、この本体片２１ａに、切り欠き３１が設けられている。ハウジングには、切り欠き３１に接触することによって、プッシュ片２１ｂを開口１３に挿嵌させるための嵌め込み軌道を固定させるガイドリブ１５が設けられている。【選択図】      図１
2006302620.tif 000002
【特許請求の範囲】
【請求項１】
ハウジングと、このハウジングに設けられた開口を通じて押圧させるボタン部とからな
るボタンユニットにおいて、
上記ボタン部は、上記開口に嵌る押圧片と、この押圧片を備える本体片とを含むように
構成されており、
この本体片には、この本体片を挟持するような切り欠きが設けられる一方、
上記ハウジングには、上記切り欠きに接触することによって、上記押圧片を上記開口に
挿嵌させるための嵌め込み軌道を固定させる四角柱状のガイドリブが設けられており、
上記切り欠きは、上記四角柱状の側面における３面と接触するようになっていることを
特徴とするボタンユニット
【請求項２】
ハウジングと、このハウジングに設けられた開口を通じて押圧させるボタン部とからな
るボタンユニットにおいて、
上記ボタン部は、上記開口に嵌る押圧片と、この押圧片を備える本体片とを含むように
構成されており、
この本体片には、切り欠きが設けられる一方、
上記ハウジングには、上記切り欠きに接触することによって、上記押圧片を上記開口に
挿嵌させるための嵌め込み軌道を固定させるガイドリブが設けられていることを特徴とす
るボタンユニット。
【請求項３】
上記ガイドリブは、四角柱状となっており、
上記切り欠きは、上記四角柱状の側面における３面と接触するようになっていることを
特徴とする請求項２に記載のボタンユニット。
【請求項４】
上記切り欠きは、上記本体片を挟持するように設けられていることを特徴とする請求項
２に記載のボタンユニット。
【請求項５】
ハウジングと、このハウジングに設けられた開口を通じて押圧させるボタン部とからな
るボタンユニットにおいて、
上記ボタン部は、上記開口に嵌る押圧片と、この押圧片を備える本体片とから構成され
ており、
上記ハウジングには、上記本体片と接触することで、上記押圧片を上記開口に挿嵌させ
るための嵌め込み軌道を固定させるガイドリブが設けられていることを特徴とするボタン
ユニット。
【請求項６】
上記ガイドリブは、上記本体片の周辺部を挟持するように、複数設けられていることを
特徴とする請求項５に記載のボタンユニット。
【発明の詳細な説明】
【技術分野】
【０００１】
本発明は、例えば電子機器に関するものであり、特に、電子機器に備えられたボタンユ
ニットに関するものである。
【背景技術】
【０００２】
従来から、電子機器には種々のボタンが備えられるようになっている。例えば、ポータ
ブルコンピュータ（ＰＣ）やビデオレコーダーのような電子機器は、電源ＯＮ／ＯＦＦボ
タン（押しボタン）や録画開始ボタン（押しボタン）が備えられるようになっている。
【０００３】
そして、このような押しボタン（ボタン部）は、ハウジング（筐体）の外壁に配置され
ており、ハウジングの開口を通じて、ユーザーの手の指先等で押されるようになっている
。
【０００４】
すると、ユーザーによって押圧された押しボタンは、電子機器内部に備え付けられた回
路基板、特に、回路基板上に設けられたタクトスイッチと接触するようになっている。そ
して、このタクトスイッチの接触による押下にしたがい、電子機器では、所望の電子制御
（例えば、ビデオレコーダーによる録画開始等）が行われるようになっている。
【０００５】
そして、このような押しボタンをハウジングに取り付ける場合、ユーザーの手の指先で
、押しボタンを押圧できるようにするため、ハウジングの開口（ボタン穴）に押しボタン
の一部が嵌め込まれるようになっている。
【０００６】
このような嵌め込みを正確すべく、例えば特許文献１の押しボタンでは、ハウジング（
スイッチボディー）に位置決め部を設ける一方、この位置決め部の挿入される開孔を有す
るガイドが押しボタンに設けられるようになっている。
【特許文献１】特開２００１−２８３６７７号公報（図１等参照）
【発明の開示】
【発明が解決しようとする課題】
【０００７】
しかし、このような開孔を有するようなガイドを設けることは設計上、非常に煩わしい
。本発明は、このような煩わしい開孔を有するガイドを設けることなく、簡易かつ容易に
、ハウジングの開口に押しボタンの一部を嵌め込むことのできるボタンユニットを提供す
ることにある。
【課題を解決するための手段】
【０００８】
本発明は、ハウジングと、このハウジングに設けられた開口を通じて押圧させるボタン
部とからなるボタンユニットであって、上記ボタン部は、上記開口に嵌る押圧片と、この
押圧片を備える本体片とから構成されており、この本体片には、切り欠きが設けられる一
方、上記ハウジングには、上記切り欠きに接触することによって、上記押圧片を上記開口
に挿嵌させるための嵌め込み軌道を固定させるガイドリブが設けられていることを特徴と
している。
【０００９】
特に、上記ガイドリブは、四角柱状となっており、上記切り欠きは、上記四角柱状の側
面（具体的には柱の周囲を構成する面）における３面と接触するようになっていることが
好ましい。
【００１０】
また、切り欠きは、上記本体片を挟持するように設けられていることが好ましい。
【００１１】
このように、切り欠きを、本体片を挟持するように設けておけば、上下方向と、左右方
向とを規制させることができる。すなわち、面方向（ハウジングの壁面に沿った全ての方
向）を規制させることができる。
【００１２】
このように、面方向を規制させるようにしておけば、押圧片は、確実にハウジングの開
口に嵌めるだけでなく、開口の例えば中心位置に押圧片を位置させるようにできる。
【発明の効果】
【００１３】
本発明のボタンユニットは、簡易かつ容易に、ハウジングの開口（ボタン穴）に、ボタ
ン部の一部（押圧片）を嵌め込むことができる。その上、ハウジングの開口位置やボタン
部における押圧片の配設位置の位置精度が低くても、ガイドリブを利用して、確実にハウ
ジングの開口に、押圧片を嵌め込むこともできる。
【発明を実施するための最良の形態】
【００１４】
［実施の形態１］
本発明の実施の一形態について、図面に基づいて説明すれば、以下の通りである。
〔ボタンユニットについて〕
図１〜図３に示すように、本発明のボタンユニット５１は、ハウジング１１とボタン部
２１とから構成されるようになっている。そして、図１は、ハウジング１１の壁面を内側
からみたボタンユニット５１の概略構成図であり、図２は、ハウジング１１の壁面を外側
からみたボタンユニット５１の概略構成図である。そして、図３は、側方からみたボタン
ユニット５１の概略構成図を示している。なお、便宜上、部材番号を図示していない場合
、他の図面を参照するものとする。
【００１５】
本発明のボタンユニット５１は、電子機器の外装等になるハウジング１１、およびこの
ハウジング１１に取り付けられるボタン部２１から構成されている。
〈ハウジングについて〉
ハウジング１１は、電子機器の外装等を構成するものであり、図１〜図３では、電子機
器のフロントパネルに相当するハウジング１１となっている。このハウジング１１には、
ボタン部２１（具体的には、本体片２１ａ）を取り付けるための取付部１２が設けられる
ようになっている。
【００１６】
そして、ユーザー等の指で、ボタン部２１（具体的にはプッシュ片２１ｂ；後述）を押
さえつけ可能にするために、ハウジング１１の外部から内部へとつながる開口（ボタン穴
）１３が設けられるようになっている。
【００１７】
また、ハウジング１１の内面から突き出るようにしてガイドリブ１５が設けられている
。そして。このガイドリブ１５は、後述するボタン部２１の本体片２１ａと接触するよう
になっている。すると、この接触によって、ボタン部２１をハウジング１１に取り付ける
ときに生じる取り付け軌道が固定するようになる。
〈ボタン部について〉
ボタン部２１は、ボタン部２１の本体となる本体片２１ａと、ユーザーによって押さえ
つけられる（押圧される）プッシュ片（押圧片）２１ｂと、回路基板（不図示）のタクト
スイッチ（不図示）と接触する押下片２１ｃとから構成されるようになっている。
【００１８】
本体片２１ａは、ハウジング１１の取付部１２に溶着されるようになっており、この溶
着によって、ハウジング１１の底面に対して立設するようになっている。
【００１９】
そして、この本体片２１ａには、ハウジング１１のガイドリブ１５と接触するための切
り欠き３１が設けられるようになっている。
【００２０】
プッシュ片２１ｂは、立設した本体片２１ａの上方（一端）から突き出るように設けら
れ（突設され）、かつハウジング１１の開口１３に嵌るように位置している。したがって
、このプッシュ片２１ｂがユーザーによって、押さえつけられると（プッシュされると）
、本体片２１ａ（ひいては、ボタン部２１）が下方に位置する取付部１２を支点にして回
動（移動）するようになっている。
【００２１】
押下片２１ｃは、立設した本体片２１ａに対して突き出るように設けられている。そし
て、この押下片２１ｃは、ボタン部２１（プッシュ片２１ｂ）がプッシュされたときの移
動にともなって、タクトスイッチと接触するようになっている。
〔本発明の種々の特徴について〕
以上のように、本発明のボタンユニット５１は、ハウジング１１と、このハウジング１
１に設けられた開口１３を通じて押圧させるボタン部２１とから構成されるようになって
いる。
【００２２】
そして、ボタン部２１は、開口１３に嵌るプッシュ片２１ｂと、このプッシュ片２１ｂ
を備える本体片２１ａとを含むように構成されている。特に、この本体片２１ａには、切
り欠き３１が設けられている。
【００２３】
一方、ハウジング１１には、切り欠き３１に接触することによって、プッシュ片２１ｂ
を開口１３に挿嵌させるための嵌め込み軌道を固定させるガイドリブ１５が設けられてい
る。
【００２４】
このように、ボタン部２１を構成する本体片２１ａの一部に切り欠き３１を入れること
だけで、ボタン部２１をハウジング１１に取り付けるときの軌道、すなわち、プッシュ片
２１ｂを開口１３に挿嵌させることのできる軌道（嵌め込み軌道；ハウジング１１の壁面
に向かっていく軌道）を容易にみつけだすことができる。すなわち、ガイドリブ１５に切
り欠き３１をあてがって移動させる軌道が、嵌め込み軌道になっている。
【００２５】
なお、ガイドリブ１５は、具体的には、四角柱状（例えば四角形の断面が伸びるように
形成された柱）となっている。そして、切り欠き３１は、この四角柱状の側面（柱の周囲
を構成する面）における３面と接触するようになっている。
【００２６】
このように、３面と接触するようにしておけば、１組のガイドリブ１５と切り欠き３１
とで、例えば上下方向と、左右方向のいずれか一方向とを規制させることができる。
【００２７】
そして、特に、切り欠き３１を、本体片２１ａを挟持するように設けておけば、上下方
向（Ｙ方向；ハウジング１１の壁面における鉛直方向）と、左右方向（Ｘ方向；ハウジン
グの壁面上においてＹ方向に垂直な方向）とを規制させることができる。すなわち、面方
向（ハウジングの壁面に沿った全ての方向）を規制させることができる。
【００２８】
このように、面方向を規制させるようにしておけば、プッシュ片２１ｂは、確実にハウ
ジング１１の開口１３に嵌めるだけでなく、開口１３の中心位置にプッシュ片２１ｂを位
置させるようにできる。
【００２９】
例えば、製品規格上の設定範囲内の公差内、開口１３の端部から、プッシュ片２１ｂの
端部までの間隔（距離αＡ・距離αＢ、距離βＡ・距離βＢ；図４参照）が設定範囲内の
数値を示すようになる。
【００３０】
具体的な一例を挙げると、横方向における距離αＡと距離αＢとが、１：２または２：
１の関係を示す範囲内とすることができる。また、同様に、上下方向における距離βＡと
距離βＢとが、１：２または２：１の関係を示す範囲内とすることができる。
［その他の実施の形態］
なお、本発明は上記の実施の形態に限定されず、本発明の趣旨を逸脱しない範囲で、種
々の変更が可能である。
【００３１】
例えば、切り欠き３１を、本体片２１ａを挟持するようにする一例として、図５に示す
ように、本体片２１ａの上下方向を挟持する場合も列挙することができる。なお、この場
合、切り欠き３１が、四角柱状のガイドリブ１５の側面における３面と接触するようにし
ておけば、１組のガイドリブ１５と切り欠き３１とで、例えば左右方向と、上下方向のい
ずれか一方向とを規制させることができる。
【００３２】
また、プッシュ片２１ｂをハウジング１１開口に挿嵌させるための嵌め込み軌道を固定
させるガイドリブ１５を直接、本体片２１ａ自体と接触させるようにしていてもよい。特
にこの場合、ガイドリブ１５は、本体片２１ａの周辺部を挟持するように、複数設けられ
るようにしておけば、確実に嵌め込み軌道を確立できる。
【００３３】
また、切り欠き３１に代えて、本体片２１ａに開孔を設けるようにし、その開孔内にガ
イドリブ１５が挿入されるようにしてもよい。
【００３４】
なお、上述のように、ガイドリブ１５を、本体片２１ａにと直接接触させようとしたり
、本体片２１ａに設けた開孔に接触させようとした場合、ガイドリブ１５の形状は、四角
柱状等に限定されるものではない。例えば、円柱状であったり、三角柱状であったりして
も構わない。
【００３５】
また、同様に、切り欠き３１の形状も特に限定されるものではない。つまり、四角状の
切り込みでの三角状の切り込みであっても構わない。要するに、ガイドリブ１５の形状も
切り欠き３１の形状も、プッシュ片２１ｂをハウジング１１の開口１３に、確実に嵌め込
めむための嵌め込み軌道を固定できるようなものであれば構わない。
【００３６】
また、上述では、ボタン部２１は、一端を支点として回動する機構を有しているものを
列挙して説明してきたが、これに限定されるものではない。例えば、スライド式のボタン
部であってもよい。要するに、ボタン部２１（具体的には本体片２１ａ）が、ガイドリブ
１５に接触できるような移動方式であればよく、回動式であろうと、スライド式であろう
と構わない。
【産業上の利用可能性】
【００３７】
本発明は、種々の電子機器において、有用である。
【図面の簡単な説明】
【００３８】
【図１】本発明のボタンユニットをハウジングの壁面の内側からみた概略構成図である。
【図２】本発明のボタンユニットをハウジングの壁面の外側からみた概略構成図である。
【図３】本発明のボタンユニットを側方からみた概略構成図である。
【図４】ハウジングの開口と、ボタン部のプッシュ片とを示す正面図である。
【図５】図１の他の一例を示す概略構成図である。
【符号の説明】
【００３９】
１１      ハウジング
１２      取付部
１３      開口
１５      ガイドリブ
２１      ボタン部
２１ａ    本体片（ボタン部）
２１ｂ    プッシュ片（押圧片；ボタン部）
２１ｃ    押下片（ボタン部）
３１      切り欠き
５１      ボタンユニット
Ｘ      ハウジングの壁面おける鉛直方向
Ｙ      ハウジングの壁面おける鉛直方向に対して垂直な方向
【図１】
2006302620.tif 000003
【図２】
2006302620.tif 000004
【図３】
2006302620.tif 000005
【図４】
2006302620.tif 000006
【図５】
2006302620.tif 000007